(57)【特許請求の範囲】
【請求項１】
前部に便鉢を有した洋風便器と、該洋風便器の後部上面に設置されたロータンクと、該ロータンクと前記便鉢との間に設置された便座ボックスと、該便座ボックスに取り付けられた便座とを有する洋風便器設備において、
該便座ボックスの下側の洋風便器にベースプレートが固定され、
該ベースプレートから立設された支柱が該便座ボックス内に挿入され、
該支柱にワイヤ巻取機が設置され、
後端側が該ワイヤ巻取機に巻取られ且つ先端側が該便座ボックスの底面に連結されたワイヤが設けられており、
該ワイヤ巻取機によってワイヤを巻き取ることにより該便座ボックスを浮上させるようにしたことを特徴とする洋風便器設備。
【請求項２】
請求項１において、該ベースプレートからガイドロッドが立設され、
該便座ボックスには、該ガイドロッドと係合して便座ボックスの昇降の案内を行う案内部材が設けられている。
【発明の詳細な説明】
【０００１】
【発明の属する技術分野】
本発明は、便座ボックスを有する洋風便器設備に係り、特に該便座ボックスを上下動可能とした洋風便器設備に関する。
【０００２】
【従来の技術】
洋風便器の上面に便座を設置する場合、便鉢の後部に便座ボックスを設置し、この便座ボックスに便座を俯仰方向に回動自在に取り付けることがある。
【０００３】
この便座ボックスと洋風便器上面との間に尿などの汚れが染み込んで臭気の原因となり易い。そこで、便座ボックスを洋風便器に対し着脱自在とし、清掃時には便座ボックスを手で持ち上げて取り外すものが市販されている。また、特開平９−２８６１９号には、ロータンクカバーの前半体をガイド部材によって洋風便器に対し昇降装置によって上下動可能とし、洋風便器の清掃時に該前半体を便座と共に上方に移動させるようにしたものが提案されている。
【０００４】
【発明が解決しようとする課題】
単に便座ボックスを着脱可能としたものにあっては、中腰にて便座ボックスを持ち上げる作業が必要であり、力の弱い人には便座ボックスを取り外すことができないことがある。
【０００５】
上記特開平９−２８６１９号の洋風便器設備にあっては、ロータンクカバーを上下動可能な前半体と固定式の後半体との２体にて構成しているため、両者の合わせ面をぴったりと係合させたりするための機構が必要となり、構造が複雑である。
【０００６】
本発明は、簡易な機構にて便座ボックスを浮上させることができる洋風便器設備を提供することを目的とする。
【０００７】
【課題を解決するための手段】
本発明の洋風便器設備は、前部に便鉢を有した洋風便器と、該洋風便器の後部上面に設置されたロータンクと、該ロータンクと前記便鉢との間に設置された便座ボックスと、該便座ボックスに取り付けられた便座とを有する洋風便器設備において、該便座ボックスの下側の洋風便器にベースプレートが固定され、該ベースプレートから立設された支柱が該便座ボックス内に挿入され、該支柱にワイヤ巻取機が設置され、後端側が該ワイヤ巻取機に巻取られ且つ先端側が該便座ボックスの底面に連結されたワイヤが設けられており、該ワイヤ巻取機によってワイヤを巻き取ることにより該便座ボックスを浮上させるようにしたことを特徴とするものである。
【０００８】
かかる洋風便器設備にあっては、ワイヤ巻取機によってワイヤを巻き取ると、便座ボックスがワイヤによって引き上げられるようにして浮上する。ワイヤ巻取機からワイヤを巻き出すことにより、便座ボックスが洋風便器上に降下する。
【０００９】
本発明の洋風便器設備は、ベースプレートからガイドロッドが立設され、便座ボックスには、該ガイドロッドと係合して便座ボックスの昇降の案内を行う案内部材が設けられている構成とすることが好ましい。
【００１０】
このようにガイドロッド及び案内部材を設けることにより、便座ボックスがきわめてスムーズに昇降するようになる。
【００１１】
【発明の実施の形態】
以下、図面を参照して本発明の実施の形態について説明する。第１図は本発明の実施の形態に係る洋風便器設備の側面側からの部分断面図、第２図はこの洋風便器設備の便座ボックス浮上時の側面図、第３図はこの便座ボックスの上面図であり、第４図はこの便座ボックスの下面側からの斜視図である。
【００１２】
この洋風便器設備は、前部に便鉢１２を有した洋風便器本体１０と、この便器本体１０の後部上面に設置されたロータンク１４を備えている。ロータンク１４の上部には手洗鉢１６が取り付けられている。また、このロータンク１４と便鉢１２との間には、後述の昇降装置２０によって上下動可能な便座ボックス１８が設置されている。
【００１３】
この便座ボックス１８の前部には、便座１８ａ及び便蓋１８ｂが俯仰方向に回動自在に取り付けられている。第１，２図は、これらの便座１８ａと便蓋１８ｂとがいずれも便鉢１２上に倒伏した状態を示している。また、この便座ボックス１８内には、この便座１８ａに着座したトイレ使用者の臀部を温水で洗浄するための温水洗浄機構（図示略）が設置されている。
【００１４】
便座ボックス１８は、その下面側に配置されたベースプレート２２を介して便鉢１２の後部上面に取り付けられている。これらの便座ボックス１８とベースプレート２２とは、昇降装置２０によって互いに上下方向に接離可能に連結されている。
【００１５】
ベースプレート２２は、下方に延出した１対のボルト２４を有している。ベースプレート２２を便鉢１２の後部上面に取り付けるにあたって、各ボルト２４は、便鉢１２の該後部上面に設けられた挿通孔１２ａに挿通されている。挿通孔１２ａは、便鉢１２の後部上面からベースプレート本体１０を略鉛直方向に貫くように所定間隔をあけて穿設された１対の貫通孔であり、通常は便座取付用に用いられるものである。このような挿通孔１２ａに挿通された各ボルト２４は、その先端側がベースプレート本体１０の下面側に突出しており、該先端側から座金２６を介してナット２８が締め込まれている。これにより、ベースプレート２２は便鉢１２の該後部上面に固定されている。
【００１６】
ベースプレート２２の上面には、先端側が便座ボックス１８内に挿入された支柱３０が立設されている。本実施の形態では、この支柱３０はベースプレート２２の左右の両端側に設けられており、それぞれ便座ボックス１８の底面に設けられた挿入口３２から該便座ボックス１８内に挿入されている。
【００１７】
この支柱３０の先端側にはワイヤ巻取機３４が設置されている。このワイヤ巻取機３４は、ワイヤ３６の後端側が巻取り及び繰り出し可能に巻回されたプーリ３８と、このプーリ３８に連結され、該プーリ３８を回転駆動するモータ４０（第３図）とを備えている。このモータ４０は、図示しない操作スイッチの操作により起動し、このプーリ３８をワイヤ３６の巻取り方向或いは繰り出し方向に回転駆動する。なお、以下、プーリ３８がワイヤ３６を巻き取る方向に回転することを「正転」と称し、ワイヤ３６を繰り出す方向に回転することを「反転」と称する。
【００１８】
ワイヤ３６の先端側は、便座ボックス１８内において該便座ボックス１８の底面に連結されている。また、このワイヤ３６は、支柱３０に取り付けられたガイドローラ４２に掛けられており、該ワイヤ３６の先端側が便座ボックス１８の底面から略鉛直上方に延在するように配設されている。これにより、このワイヤ３６の後端側がプーリ３８に巻き取られると、該ワイヤ３６により便座ボックス１８の底面が上方へ引き上げられ、便座ボックス１８が浮上する。逆に、ワイヤ３６の後端側がプーリ３８から繰り出されると、便座ボックス１８の降下が許容される。
【００１９】
前記昇降装置２０は、これらの支柱３０、ワイヤ巻取機３４及びワイヤ３６等により構成されている。本実施の形態では、第３図に示すように、この昇降装置２０は便座ボックス１８の左右両端側に設置されている。
【００２０】
なお、ベースプレート２２には略鉛直上方にガイドロッド４４が立設されている。このガイドロッド４４は、便座ボックス１８に設けられ略鉛直方向に延在した略円筒状のガイドカラム４６に対し進退可能に内嵌されている。
【００２１】
昇降装置２０を介してベースプレート２２に昇降可能に連結された便座ボックス１８は、ガイドロッド４４がガイドカラム４６に内嵌し、その昇降に伴って該ガイドロッド４４がガイドカラム４６内を進退することにより、ベースプレート２２に対し常時まっすぐに昇降し、昇降中にがたついたり所期の軌道からずれて移動することのないように案内されている。
【００２２】
このように構成された洋風便器設備にあっては、通常時には便座ボックス１８は下降限まで下降し、便鉢１２の後部上面に載置されている。
【００２３】
便座ボックス１８の下側の便鉢１２の後部上面を清掃するときには、図示しない操作スイッチを操作し、プーリ３８が正転駆動されるようにモータ４０を起動する。プーリ３８が正転駆動されると、ワイヤ３６は該プーリ３８に巻き取られ、便座ボックス１８の底面を引き上げて該便座ボックス１８を便鉢１２の後部上面から浮上させる。
【００２４】
これにより、便鉢１２の後部上面が露出すると共に便座ボックス１８の下部との間に十分な空間が生じ、便鉢１２の該後部上面を清掃可能となる。
【００２５】
なお、モータ４０は、便座ボックス１８が所定の上昇限まで浮上したときにプーリ３８の駆動を停止し、該プーリ３８を回転不能な状態に留めておく。これにより、プーリ３８に巻き取られたワイヤ３６が便座ボックス１８の重さ等によってプーリ３８から不正に繰り出されることがなく、便座ボックス１８は上昇位置に保持される。
【００２６】
その後、清掃作業を終え、便座ボックス１８を通常の使用状態に戻すときには、前記操作スイッチを操作し、プーリ３８が反転駆動されるようにモータ４０を起動する。プーリ３８が反転駆動されると、ワイヤ３６は該プーリ３８から繰り出され、便座ボックス１８の下降を許容するようになり、該便座ボックス１８が便鉢１２の該後部上面まで下降する。このとき、便座ボックス１８が便鉢１２に当接するまで下降すると、リミットスイッチ（図示略）によってこの当接が検知され、モータ４０が自動的に停止する。リミットスイッチの代わりに、モータ４０のトルクを検出し、モータ４０が無負荷状態になったときにモータ４０を自動的に停止させてもよい。
【００２７】
このように、本実施の形態の洋風便器設備によると、便座ボックス１８の下部にベースプレート２２を配置し、このベースプレート２２に対し先端側が該便座ボックス１８内に挿入される支柱３０を立設すると共に、この支柱３０に対し該便座ボックス１８の底面に連結されたワイヤ３６を巻き取って該底面を引き上げるワイヤ巻取機３４を設けただけのきわめて簡易な機構により、便鉢１２の後部上面から便座ボックス１８が浮上するように構成することができる。
【００２８】
また、本実施の形態の洋風便器設備によると、ベースプレート２２からガイドロッド４４が立設され、このガイドロッド４４が便座ボックス１８のガイドカラム４６内に進退可能に係合して便座ボックス１８の昇降を案内することにより、便座ボックス１８は、昇降中に傾いたりずれたりすることなくきわめてスムーズに昇降するようになっている。
【００２９】
なお、この実施の形態においては、モータ４０がプーリ３８を正、反転駆動することによりワイヤ３６の巻取り及び繰り出しが行われるように構成されているが、これ以外にも、図示はしないが、例えばプーリ３８とモータ４０とをクラッチ機構並びにロータリーダンパ等を介して連結し、ワイヤ３６の巻取りに際しては該クラッチ機構がプーリ３８とモータ４０との連結を拘束して該モータ４０からの回転駆動力をプーリ３８に伝達し、該駆動力によってワイヤ３６を巻き取らせると共に、ワイヤ３６の繰出しに際しては、該クラッチ機構がプーリ３８とモータ４０との連結を解除して該プーリ３８が前記ロータリダンパによる反力を受けながら反転方向に自転することを許容し、便座ボックス１８の重さによってワイヤ３６が徐々にプーリ３８から繰り出されるように構成してもよい。
【００３０】
また、上記実施の形態において、便鉢１２の後部上面に穿設されたワイヤ固定用の挿通孔１２ａとしては、一般的な洋風便器設備の便器本体に通常設けられている便座ボックス設置用のボルト挿通孔や便座及び便蓋取付用のボルト挿通孔を利用している。これにより、便座ボックスや便座ボックスの昇降装置を有しない既存の洋風便器設備に本発明の便座ボックス及びこの便座ボックスの昇降装置を取り付け、既存の洋風便器設備をより高機能なものとすることができるようになる。
【００３１】
【発明の効果】
以上詳述した通り、本発明の洋風便器設備によると、きわめて簡易な機構により便座ボックスを浮上させることが可能な洋風便器設備を構成することができる。
【００３２】
また、この便座ボックスの浮上がきわめてスムーズに行われるように構成することもできる。
【図面の簡単な説明】
【図１】本発明の実施の形態に係る洋風便器設備の側面からの部分断面図である。
【図２】第１図の洋風便器設備の便座ボックス浮上時の側面からの部分断面図である。
【図３】第１図の便座ボックスの上面図である。
【図４】第１図の便座ボックスの下面側からの斜視図である。
【符号の説明】
１０  便器本体
１２  鉢面
１４  ロータンク
１８  便座ボックス
２０  昇降装置
２２  ベースプレート
３０  支柱
３４  ワイヤ巻取機
３６  ワイヤ
３８  プーリ
４０  モータ
４４  ガイドロッド
４６  ガイドカラム
【図１】
0004244515.tif 000002
【図２】
0004244515.tif 000003
【図３】
0004244515.tif 000004
【図４】
0004244515.tif 000005